(57)【要約】【課題】ベランダに干す布団の数分のクランプを使用する必要が無く、複数の布団を一度に落ちないようにできる布団ストッパーを提供する。【解決手段】布団列の一方の端で、ベランダ１の上縁に第一クランプ３を取り付け、この第一クランプ３に設けられたリール装置５から紐７を巻き出す。この紐７は、ベランダ１に干された複数の布団９の上を通り、先端が第二クランプ１１の係止部１３に係止される。この第二クランプ１１は、布団列の反対の端で、ベランダ１の上縁に取り付けられる。【選択図】図１
2004313464.tif 000002
【特許請求の範囲】
【請求項１】
ベランダに干した布団が落ちないようにするためのストッパーであって、前記ベランダの上縁に取り付ける第一クランプと、この第一クランプに設けられて紐を巻き出すリール装置と、この紐の先端が係止される係止部を有し前記ベランダの上縁に取り付ける第二クランプと、を備えてなることを特徴とする布団ストッパー。
【請求項２】
前記第一または第二クランプは、互いに回動可能な二つの爪体と、これら爪体を閉じる方向に付勢するバネと、を有して構成されることを特徴とする請求項１に記載の布団ストッパー。
【請求項３】
前記第一または第二クランプは、前記ベランダの上縁をまたぐコの字状の本体と、前記コの字状の向かい合う辺の一方に形成される雌ネジと、この雌ネジを貫通して螺合し外端にハンドルが設けられ内端が前記ベランダを押圧する雄ネジと、を有して構成されることを特徴とする請求項１に記載の布団ストッパー。
【発明の詳細な説明】
【０００１】
【発明の属する技術分野】
この発明は、ベランダに干した布団が落ちないようにするためのストッパー  の構造に関する。
【０００２】
【従来の技術】
天気のいい日には、ベランダの上縁に布団を掛けて干すのが家事の一つである。家族が多いと、干す布団の数も多くなる。布団が風などで落ちたりしないようにするために、従来は、複数の布団の一つ一つに、バネつきのクランプを使い、布団とベランダの上縁をあわせたままクランプすることが行われていた。
【０００３】
【発明が解決しようとする課題】
しかしながら、布団の数が多いと、クランプの数も多くなり、一つずつクランプする作業も大変だった。使用しないときのクランプを収納する場所を確保するのも大変であった。  。
この発明は、以上の課題を解決するためになされたもので、布団の数分のクランプを使用する必要が無く、複数の布団を一度に落ちないようにできる布団ストッパーを提供することを目的とする。
【０００４】
【課題を解決するための手段】
以上の課題を解決するために、第一発明は、ベランダに干した布団が落ちないようにするためのストッパーであって、前記ベランダの上縁に取り付ける第一クランプと、この第一クランプに設けられて紐を巻き出すリール装置と、この紐の先端が係止される係止部を有し前記ベランダの上縁に取り付ける第二クランプと、を備えてなることを特徴とする布団ストッパーである。
【０００５】
第二発明は、さらに、前記第一または第二クランプは、互いに回動可能な二つの爪体と、これら爪体を閉じる方向に付勢するバネと、を有して構成されることを特徴とする布団ストッパーである。
第三発明は、さらに、前記第一または第二クランプは、前記ベランダの上縁をまたぐコの字状の本体と、前記コの字状の向かい合う辺の一方に形成される雌ネジと、この雌ネジを貫通して螺合し外端にハンドルが設けられ内端が前記ベランダを押圧する雄ネジと、を有して構成されることを特徴とする布団ストッパーである。
【０００６】
【発明の実施の形態】
この発明の実施の形態を、図１〜図５に示す。
（全体概略）
図１に示すように、ベランダ１の上縁に第一クランプ３を取り付け、この第一クランプ３に設けられたリール装置５から紐７を巻き出す。この紐７は、ベランダ１に干された複数の布団９の上を通り、先端が第二クランプ１１の係止部１３に係止される。この第二クランプ１１は、複数の布団９の反対側で、ベランダ１の上縁に取り付けられる。（クランプ）
図２、図３、または図５に示すように、第一または第二クランプ３，１１は、概略同様の構造を有する。すなわち、二つの爪体１５が、回動軸１７周りに互いに回動可能に嵌合し、一体を成している。各爪体１５は、上部のつまみ部１９と、下部の押圧部２１を有する。そして、これら爪体１５を閉じる方向に付勢するバネ２３として、一部が切りかかれたリング状のバネ２３が用いられる。このバネ２３は、つまみ部１９の開口部２５を通り、そのバネ２３の各端が押圧部２１の外側のバネ止凹部２７に係止される。このようなバネ２３は、平行に二つ設けられる。
【０００７】
第一クランプ３には、一方の爪体１５の外側に、リール装置５が取り付けられる。第二クランプ１１には、リール装置５から巻きだされる紐７の先端が係止される係止部１３が形成される。
（リール装置５）
図４に示すように、リール装置５は、短円筒状のケース２９が、第一クランプ３の爪体１５に固定される。このケース２９の内部には、短円筒状の中心に固定軸３１が設けられ、この固定軸３１に一端が係止されたゼンマイバネ３３が巻き回され、このゼンマイバネ３３の他端が回転筒３５の内側に係止される。回転筒３５は、固定軸３１と同心に回転可能であり、外周面３７に紐７の一端が固定される。紐７が回転筒３５の外周面３７から外れないように、外周面３７の円周縁には逆ハの字状のフランジ３９が形成される。紐７の他端がが巻き出される窓４１が、ケース２９に形成される。この装置には、図示しないが、回転筒３５の回転を任意に規制するための回転止め機構を設けても良い。
【０００８】
（係止部１３）
図５に示すように、第二クランプ１１の爪体１５に設けられる係止部１３は、爪体１５に突設されたピン４３の先端に円板４５が形成されたものである。紐７の先端には、この円板４５よりも若干大きな円板状の係止孔４７を有する係止具４９が取り付けられる。
【０００９】
（実施形態の作用効果）
この実施形態の布団ストッパーを使用するには、ベランダ１に干された多数の布団列の一方の端で、ベランダ１の上縁に第一クランプ３を取り付ける。他方の端で、ベランダ１の上縁に第二クランプ１１を取り付ける。そして、この第一クランプ３に設けられたリール装置５から紐７を巻き出す。この紐７は、ベランダ１に干された布団列の外側の上を通り、先端が第二クランプ１１の係止部１３に係止される。紐７はゼンマイバネ３３の働きで、巻き取られる方向に付勢される。布団９は、この紐７に押さえられるので、風にあおられてもベランダ１から外れにくく落ちにくい。
【００１０】
紐７の先端の係止において、先端の係止具４９の係止孔４７に、係止部１３の円板４５を通す。この係止孔４７は、円板４５よりも若干大きいだけなので、外れにくい。
（他の実施形態）
以上の実施形態では、クランプ３，１１は一部が切りかかれたリング状のバネ２３が用いられたが、他の実施形態では、例えば図６に示すように、コイルバネ５１を用いるものでも良い。すなわち、二つの略Ｌ字状の爪体５３が、Ｌ字の一方の端に設けられた回動軸５５周りに互いに回動可能に嵌合し、一体を成している。各爪体５３は、Ｌ字の他方の端に押圧部２１を有する。そして、これら爪体５３を閉じる方向に付勢するバネ５１として、コイルバネ５１が用いられ、このコイルバネ５１の両端が、各爪体５３のＬ字の略中央に取り付けられる。
【００１１】
また、以上の実施形態では、クランプ３，１１はバネ２３，５１を用いるものであったが、他の実施形態ではバネではなく、例えば図７に示すようにネジ５７を用いることも可能である。すなわち、ベランダ１の上縁をまたぐコの字状の本体５９において、コの字状の向かい合う辺の一方に雌ネジ６１を形成する。この雌ネジ６１を貫通して、外側から雄ネジ６３を螺合する。雄ネジ６３の外端にはハンドル６５が設けられる。このハンドル６５は３角形の形状を有する。雄ネジ６３の内端は、皿状部分６７に緩やかに連結され、この皿状部分６７の円形状の縁がベランダ１を押圧する。
【００１２】
【発明の効果】
以上説明したように、この発明によれば、布団は、第一クランプのリール装置から巻き出され先端が第二クランプに係止された紐に押さえられるので、風にあおられてもベランダから外れにくく落ちにくく、複数の布団を一度に落ちないようにできる。
【図面の簡単な説明】
【図１】この発明の一実施形態に係る布団ストッパーの使用状態を示す全体斜視図である。
【図２】図１の布団ストッパーを構成する第一クランプの拡大斜視図である。
【図３】図２の正面図である。
【図４】（Ａ）は図３の第一クランプに設けられるリール装置の縦断面図、（Ｂ）は（Ａ）の横断面図である。
【図５】図１の布団ストッパーを構成する第二クランプの拡大斜視図である。
【図６】この発明の他の実施形態に係る布団ストッパーを構成する第一クランプを示す正面図である。
【図７】この発明の更に他の実施形態に係る布団ストッパーを構成する第一クランプを示す正面図である。
【符号の説明】
１…ベランダ、
３…一クランプ、
５…リール装置、
７…紐、
９…布団、
１１…二クランプ、
１３…係止部、
１５…爪体、
１７…回動軸、
１９…部、
２１…押圧部、
２３…バネ、
２５…開口部、
２７…バネ止凹部、
２９…ケース、
３１…固定軸、
３３…ゼンマイバネ、
３５…回転筒、
３７…外周面、
３９…フランジ、
４１…窓、
４３…ピン、
４５…円板、
４７…係止孔、
４９…係止具
５１・・コイルバネ
５３・・爪体
５５・・回動軸
５７・・ネジ
５９・・コの字状の本体
６１・・雌ネジ
６３・・雄ネジ
６５・・ハンドル
６７・・皿状部分。
【図１】
2004313464.tif 000003
【図２】
2004313464.tif 000004
【図３】
2004313464.tif 000005
【図４】
2004313464.tif 000006
【図５】
2004313464.tif 000007
【図６】
2004313464.tif 000008
【図７】
2004313464.tif 000009